(57)【特許請求の範囲】
【請求項１】
額縁状の取付枠に対して同軸上で開閉可能に軸着される複数の上下方向に並ぶ開閉枠を設けた遊技機において、
前記取付枠は、複数の前記開閉枠を支持する開閉枠支持手段を備え、
該開閉枠支持手段は、
最上部に位置する前記開閉枠の上端部と係合して支持する上部支持手段と、
最下部に位置する前記開閉枠の下端部と係合して支持する下部支持手段と、
上下に隣接する前記開閉枠の対向する上下端部の双方と係合して支持する可動支持手段と、を備え、
該可動支持手段は、
上下に隣接する前記開閉枠の対向する上下端部の双方と係合する支持軸と、
常態において上下に隣接する前記開閉枠との係合状態を維持する付勢手段と、を備え、
前記支持軸は、上下方向に沿って配され、
上下に隣接する前記開閉枠のうち、上側に位置する開閉枠の下端部と係合する上保持部と、
上下に隣接する前記開閉枠のうち、下側に位置する開閉枠の上端部と係合する下保持部と、を当該支持軸の上端部分及び下端部分にそれぞれ備え、
当該可動支持手段を前記付勢手段の付勢に反して上または下にスライド動作させることで、上下に隣接する前記開閉枠との係合状態を択一的に解除可能であり、
前記可動支持手段は、
当該可動支持手段を前記常態よりも下方向にスライド動作させた場合、前記上保持部と前記上側に位置する開閉枠との係合状態を解除可能とする一方、前記下保持部と前記下側に位置する開閉枠との係合状態を維持し、
当該可動支持手段を前記常態よりも上方向にスライド動作させた場合、前記下保持部と前記下側に位置する開閉枠との係合状態を解除可能とする一方、前記上保持部と前記上側に位置する開閉枠との係合状態を維持するように配置され、
上下に隣接する前記開閉枠の何れか一方との係合状態を解除する場合に、他方との係合状態を解除不能とする係合解除不能化手段となることを特徴とする遊技機。
【請求項２】
前記開閉枠支持手段は、前記可動支持手段の動作方向を規制する規制手段を備え、
前記規制手段は、前記可動支持手段を動作して上下に隣接する前記開閉枠の何れか一方との係合状態を解除する場合に、他方との係合状態を解除する方向への当該可動支持手段の動作を規制することを特徴とする請求項１に記載の遊技機。
【請求項３】
前記開閉枠支持手段は、上下に隣接する前記開閉枠の着脱順序を規制する着脱順序規制手段を備え、
前記着脱順序規制手段は、前記可動支持手段が予め設定した可動順序で動作するように該可動順序を規制することを特徴とする請求項２に記載の遊技機。
【請求項４】
前記開閉枠支持手段は、前記可動支持手段を所定位置まで誘導する誘導手段を備え、
前記誘導手段は、上下に隣接する前記開閉枠のうち、上側に位置する前記開閉枠との係合状態を解除する位置若しくは下側に位置する前記開閉枠との係合状態を解除する位置に前記可動支持手段を誘導することを特徴とする請求項３に記載の遊技機。
【請求項５】
前記誘導手段は、
上下に隣接する前記開閉枠のうち、上側に位置する前記開閉枠との係合状態を解除する位置へ前記可動支持手段を誘導する第１誘導手段と、
上下に隣接する前記開閉枠のうち、下側に位置する前記開閉枠との係合状態を解除する位置へ前記可動支持手段を誘導する第２誘導手段と、を備え、
前記第１誘導手段は、前記可動支持手段を上側に位置する前記開閉枠との係合状態を解除する位置まで誘導しつつ下側に位置する前記開閉枠との係合状態の解除を規制する一方、
前記第２誘導手段は、前記可動支持手段を下側に位置する前記開閉枠との係合状態を解除する位置まで誘導しつつ上側に位置する前記開閉枠との係合状態の解除を規制することを特徴とする請求項４に記載の遊技機。
【請求項６】
前記開閉枠は、前記可動支持手段と係合する係合部を備え、
該係合部は、前記可動支持手段を所定の係合位置へ案内する案内部を備えることを特徴とする請求項１から５の何れか一項に記載の遊技機。
【発明の詳細な説明】
【技術分野】
【０００１】
本発明は、額縁状の取付枠に対して同軸上で開閉可能に軸着される複数の開閉枠を設けた遊技機に関する。
【背景技術】
【０００２】
従来より、パチンコ遊技機等の遊技機においては、遊技島側に固定される機枠に対して、遊技盤が取り付けられる前面枠を開閉可能に軸着するとともに、樹脂性のガラス枠ユニット（透明部材としてのガラスを保持する透明部材保持枠）を前記前面枠に対して開閉可能に軸着し、このガラス枠ユニットの下方には、遊技球を貯留可能な供給皿が設けられた上皿ユニットが前記ガラス枠ユニットと同軸上に開閉可能に軸着されている。これらガラス枠ユニットや上皿ユニットは前面枠から各々着脱可能に構成されており、その着脱作業を容易にするために前面枠の軸受部に軸着される軸杵を各ユニットに摺動可能に設けたものがあった（例えば、特許文献１参照）。
【特許文献１】特開平７−２５５９２８号公報
【発明の開示】
【発明が解決しようとする課題】
【０００３】
しかしながら、上記した従来技術では、ユニットの取り付けに要する部品がユニット毎に設けられているため、部品点数が多くなり、コストが増加するという問題があった。
また、部品点数が多くなることにより、構造の複雑化、各ユニットの重量の増加、着脱作業の繁雑化などが懸念される。
【０００４】
本発明の目的は、額縁状の取付枠に対して同軸上で開閉可能に軸着される複数の開閉枠を設けた遊技機において、各ユニットの取り付けに要する部品点数を減少させることで、コストの低減、構造の簡素化、各ユニットの軽量化、各ユニットの着脱作業の容易化を実現することである。
【課題を解決するための手段】
【０００５】
以上の課題を解決するため、請求項１に記載の発明は、
額縁状の取付枠に対して同軸上で開閉可能に軸着される複数の上下方向に並ぶ開閉枠を設けた遊技機において、
前記取付枠は、複数の前記開閉枠を支持する開閉枠支持手段を備え、
該開閉枠支持手段は、
最上部に位置する前記開閉枠の上端部と係合して支持する上部支持手段と、
最下部に位置する前記開閉枠の下端部と係合して支持する下部支持手段と、
上下に隣接する前記開閉枠の対向する上下端部の双方と係合して支持する可動支持手段と、を備え、
該可動支持手段は、
上下に隣接する前記開閉枠の対向する上下端部の双方と係合する支持軸と、
常態において上下に隣接する前記開閉枠との係合状態を維持する付勢手段と、を備え、
前記支持軸は、上下方向に沿って配され、
上下に隣接する前記開閉枠のうち、上側に位置する開閉枠の下端部と係合する上保持部と、
上下に隣接する前記開閉枠のうち、下側に位置する開閉枠の上端部と係合する下保持部と、を当該支持軸の上端部分及び下端部分にそれぞれ備え、
当該可動支持手段を前記付勢手段の付勢に反して上または下にスライド動作させることで、上下に隣接する前記開閉枠との係合状態を択一的に解除可能であり、
前記可動支持手段は、
当該可動支持手段を前記常態よりも下方向にスライド動作させた場合、前記上保持部と前記上側に位置する開閉枠との係合状態を解除可能とする一方、前記下保持部と前記下側に位置する開閉枠との係合状態を維持し、
当該可動支持手段を前記常態よりも上方向にスライド動作させた場合、前記下保持部と前記下側に位置する開閉枠との係合状態を解除可能とする一方、前記上保持部と前記上側に位置する開閉枠との係合状態を維持するように配置され、
上下に隣接する前記開閉枠の何れか一方との係合状態を解除する場合に、他方との係合状態を解除不能とする係合解除不能化手段となることを特徴とする。
【０００６】
ここで、「取付枠」は、遊技店の島設備に固定される機枠、該機枠の前面側に取り付けられる前面枠などを含む。
【０００７】
請求項１に記載の発明によれば、開閉枠支持手段は、最上部に位置する開閉枠の上端部と係合して支持する上部支持手段と、最下部に位置する開閉枠の下端部と係合して支持する下部支持手段と、上下に隣接する開閉枠の対向する上下端部の双方と係合して支持する可動支持手段と、を備え、該可動支持手段は、上下に隣接する開閉枠の対向する上下端部の双方と係合する支持軸と、常態において上下に隣接する開閉枠との係合状態を維持する付勢手段と、を備え、支持軸は、上下方向に沿って配され、上下に隣接する開閉枠のうち上側に位置する開閉枠の下端部と係合する上保持部と、下側に位置する開閉枠の上端部と係合する下保持部と、を当該支持軸の上端部分及び下端部分にそれぞれ備え、当該可動支持手段を付勢手段の付勢に反して上または下にスライド動作させることで、上下に隣接する開閉枠との係合状態を択一的に解除可能であるので、上下に隣接する開閉枠の着脱、支持を可動支持手段１つで行うことができる。したがって、部品点数を減少させてコストの低減、構造の簡素化、各開閉枠（各ユニット）の軽量化を行うことができるとともに、各開閉枠の着脱作業の容易化を図ることができる。
また、可動支持手段は、当該可動支持手段を常態よりも下方向にスライド動作させた場合、上保持部と上側に位置する開閉枠との係合状態を解除可能とする一方、下保持部と下側に位置する開閉枠との係合状態を維持し、当該可動支持手段を常態よりも上方向にスライド動作させた場合、下保持部と下側に位置する開閉枠との係合状態を解除可能とする一方、上保持部と上側に位置する開閉枠との係合状態を維持するように配置され、上下に隣接する開閉枠の何れか一方との係合状態を解除する場合に、他方との係合状態を解除不能とする係合解除不能化手段となるので、一方の開閉枠の着脱作業を行う場合に、他方の開閉枠が脱落することを防止できる。
【００１２】
請求項２に記載の発明は、請求項１に記載の遊技機であって、前記開閉枠支持手段は、前記可動支持手段の動作方向を規制する規制手段を備え、
前記規制手段は、前記可動支持手段を動作して上下に隣接する前記開閉枠の何れか一方との係合状態を解除する場合に、他方との係合状態を解除する方向への当該可動支持手段の動作を規制することを特徴とする。
【００１３】
請求項２に記載の発明によれば、開閉枠支持手段は、可動支持手段の動作方向を規制する規制手段を備え、規制手段は、可動支持手段を動作して上下に隣接する開閉枠の何れか一方との係合状態を解除する場合に、他方との係合状態を解除する方向への当該可動支持手段の動作を規制するので、一方の開閉枠の着脱作業を行う場合に、誤って他方の開閉枠の着脱を行ってしまうことを防止できる。
【００１４】
請求項３に記載の発明は、請求項２に記載の遊技機であって、前記開閉枠支持手段は、上下に隣接する前記開閉枠の着脱順序を規制する着脱順序規制手段を備え、
前記着脱順序規制手段は、前記可動支持手段が予め設定した可動順序で動作するように該可動順序を規制することを特徴とする。
【００１５】
請求項３に記載の発明によれば、開閉枠支持手段は、上下に隣接する開閉枠の着脱順序を規制する着脱順序規制手段を備え、着脱順序規制手段は、可動支持手段が予め設定した可動順序で動作するように該可動順序を規制するので、誤った操作順序で着脱作業が行われることを防止でき、作業者が怪我などを負うことを防止できる。
【００１６】
請求項４に記載の発明は、請求項３に記載の遊技機であって、前記開閉枠支持手段は、前記可動支持手段を所定位置まで誘導する誘導手段を備え、
前記誘導手段は、上下に隣接する前記開閉枠のうち、上側に位置する前記開閉枠との係合状態を解除する位置若しくは下側に位置する前記開閉枠との係合状態を解除する位置に前記可動支持手段を誘導することを特徴とする。
【００１７】
請求項４に記載の発明によれば、開閉枠支持手段は、可動支持手段を所定位置まで誘導する誘導手段を備え、誘導手段は、上下に隣接する開閉枠のうち、上側に位置する開閉枠との係合状態を解除する位置若しくは下側に位置する開閉枠との係合状態を解除する位置に可動支持手段を誘導するので、可動支持手段が一方の開閉枠の着脱位置に自動的に誘導され、各開閉枠の着脱作業の容易化を図ることができる。
【００１８】
請求項５に記載の発明は、請求項４に記載の遊技機であって、前記誘導手段は、
上下に隣接する前記開閉枠のうち、上側に位置する前記開閉枠との係合状態を解除する位置へ前記可動支持手段を誘導する第１誘導手段と、
上下に隣接する前記開閉枠のうち、下側に位置する前記開閉枠との係合状態を解除する位置へ前記可動支持手段を誘導する第２誘導手段と、を備え、
前記第１誘導手段は、前記可動支持手段を上側に位置する前記開閉枠との係合状態を解除する位置まで誘導しつつ下側に位置する前記開閉枠との係合状態の解除を規制する一方、
前記第２誘導手段は、前記可動支持手段を下側に位置する前記開閉枠との係合状態を解除する位置まで誘導しつつ上側に位置する前記開閉枠との係合状態の解除を規制することを特徴とする。
【００１９】
請求項５に記載の発明によれば、誘導手段は、第１誘導手段と第２誘導手段とを備え、第１誘導手段は、可動支持手段を上側に位置する開閉枠との係合状態を解除する位置まで誘導しつつ下側に位置する開閉枠との係合状態の解除を規制する一方、第２誘導手段は、可動支持手段を下側に位置する開閉枠との係合状態を解除する位置まで誘導しつつ上側に位置する開閉枠との係合状態の解除を規制するので、一方の開閉枠の着脱作業を行う場合に、誤って他方の開閉枠の着脱を行ってしまうことを防止できるとともに、可動支持手段が一方の開閉枠の着脱位置に自動的に誘導されて、各開閉枠の着脱作業の容易化を図ることができる。
【００２０】
請求項６に記載の発明は、請求項１から５の何れか一項に記載の遊技機であって、前記開閉枠は、前記可動支持手段と係合する係合部を備え、
該係合部は、前記可動支持手段を所定の係合位置へ案内する案内部を備えることを特徴とする。
【００２１】
請求項６に記載の発明によれば、開閉枠は、可動支持手段と係合する係合部を備え、該係合部は、可動支持手段を所定の係合位置へ案内する案内部を備えるので、各開閉枠の取付作業の容易化を図ることができる。
【発明の効果】
【００２２】
本発明によれば、開閉枠支持手段は、最上部に位置する開閉枠の上端部と係合して支持する上部支持手段と、最下部に位置する開閉枠の下端部と係合して支持する下部支持手段と、上下に隣接する開閉枠の対向する上下端部の双方と係合して支持する可動支持手段と、を備え、該可動支持手段は、上下に隣接する開閉枠の対向する上下端部の双方と係合する支持軸と、常態において上下に隣接する開閉枠との係合状態を維持する付勢手段と、を備え、支持軸は、上下方向に沿って配され、上下に隣接する開閉枠のうち上側に位置する開閉枠の下端部と係合する上保持部と、下側に位置する開閉枠の上端部と係合する下保持部と、を当該支持軸の上端部分及び下端部分にそれぞれ備え、当該可動支持手段を付勢手段の付勢に反して上または下にスライド動作させることで、上下に隣接する開閉枠との係合状態を択一的に解除可能であるので、上下に隣接する開閉枠の着脱、支持を可動支持手段１つで行うことができる。したがって、部品点数を減少させてコストの低減、構造の簡素化、各開閉枠（各ユニット）の軽量化を行うことができるとともに、各開閉枠の着脱作業の容易化を図ることができる。
また、可動支持手段は、当該可動支持手段を常態よりも下方向にスライド動作させた場合、上保持部と上側に位置する開閉枠との係合状態を解除可能とする一方、下保持部と下側に位置する開閉枠との係合状態を維持し、当該可動支持手段を常態よりも上方向にスライド動作させた場合、下保持部と下側に位置する開閉枠との係合状態を解除可能とする一方、上保持部と上側に位置する開閉枠との係合状態を維持するように配置され、上下に隣接する開閉枠の何れか一方との係合状態を解除する場合に、他方との係合状態を解除不能とする係合解除不能化手段となるので、一方の開閉枠の着脱作業を行う場合に、他方の開閉枠が脱落することを防止できる。
【発明を実施するための最良の形態】
【００２３】
以下、この発明の実施形態について図面を参照して説明する。
ここでは、本発明にかかる遊技機の適例としてのパチンコ遊技機について説明を行う。
【００２４】
図１から３に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。なお、矩形枠状の機枠１１０は、裏面側から見て左側の一辺が金属製とされ、その他の辺は木製となっている。これによって、裏面側から見て左側の一辺においては、強度を保ったまま厚みを薄くできるようになっている。また、機枠１１０における前面側から見た左側の部分には、前面枠１２０の上下を回動可能に軸支し、扉状に開閉自在とするヒンジ部１１１が設けられている。
【００２５】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０とを有する。また、発射操作ユニット１５０は、クリア部材保持枠１４０と上下に隣接する位置に、前面枠本体１３０に対して回動可能に軸支された開閉パネル１６０を有する。すなわち、前面枠本体１３０が額縁状の取付枠をなし、この前面枠本体１３０に対して同軸上で開閉可能に軸着される複数の上下に並ぶ開閉枠として、クリア部材保持枠１４０が最上部に位置する開閉枠をなし、開閉パネル１６０が最下部に位置する開閉枠をなす。
【００２６】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部が形成されている。そして、前面枠本体１３０に収容された遊技盤１の前面が前面枠本体１３０の開口部から前側に臨むようになっている。すなわち遊技盤１は、前面枠本体１３０に嵌め込まれることで前面枠１２０に取り付けられている。
【００２７】
また、前面枠本体１３０の遊技盤１が嵌め込まれた開口部、すなわち、前面枠本体１３０の中央より少し下側から上端部にわたる部分には、図１に示すように、前面枠本体１３０の前側を覆うように最上部に位置する開閉枠をなすクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁２に囲まれた部分が、遊技球が発射されて流下する遊技領域１ａとされている。
【００２８】
このクリア部材保持枠１４０は、遊技機１００の前面側から見て左側の側部が、前面枠本体１３０の前面側から見た左側の側部に回動可能に軸支されて、扉状に開閉自在とされている。この軸支された部分の詳細については後述する。そして、クリア部材保持枠１４０を開くことにより、遊技盤１の前面側の遊技領域１ａの前側を開放可能となっている。クリア部材保持枠１４０には、前面枠本体１３０の開口部をほぼ閉塞するように、該開口部に嵌め込まれた遊技盤１との間に遊技球が流下可能な遊技領域１ａとなる間隔を開けて二重のガラス板１４１が固定されている。そして、クリア部材保持枠１４０において、遊技機１００の前側からガラス板１４１を介して遊技盤１の前面側の少なくとも遊技領域１ａの部分が視認可能となっている。また、クリア部材保持枠１４０の前面であって、ガラス板１４１が固定されて遊技領域１ａを視認可能とする部分の周囲には、枠装飾装置としてのランプやＬＥＤ、音声を出力するスピーカ１４５，１４５などが設けられている。
【００２９】
また、前面枠本体１３０に軸着されたクリア部材保持枠１４０の開放端側となる前面側から見て右側の端部の前面には、施錠装置の一部をなす鍵穴１３２が形成されている。この鍵穴１３２は、前面枠本体１３０の施錠装置の一部であるとともに、クリア部材保持枠１４０の施錠装置の一部でもあって、鍵穴１３２に鍵を入れて一方（例えば左回り）に回すと前面枠本体１３０の施錠が解除され、他方（例えば右回り）に回すとクリア部材保持枠１４０の施錠が解除されるようになっている。
【００３０】
また、前面枠本体１３０の前面側のクリア部材保持枠１４０の下側には、発射操作ユニット１５０が取り付けられている。発射操作ユニット１５０は、上側に位置する開閉パネル１６０とその下側に位置する下部パネル１５２とからなる。開閉パネル１６０は、遊技機１００の前面側から見て左側の側部が、前面枠本体１３０の前面側から見た左側の側部に回動可能に軸支されて扉状に開閉自在とされ、最下部に位置する開閉枠をなす。この軸支された部分の詳細については後述する。また、開閉パネル１６０は、排出された遊技球を貯留するとともに、遊技球を発射する発射装置１０に遊技球を送る上皿１５３を有している。この上皿１５３の周囲には、遊技者が操作可能な演出用ボタン１５８が設けられている。
【００３１】
また、開閉パネル１６０の下側の下部パネル１５２には、上皿１５３に収容しきれない遊技球を収容する下皿１５４及び灰皿１５５と、遊技領域１ａに向けての遊技球の発射操作を行うとともに、該遊技領域１ａに遊技球を発射する際の発射勢を調節するための操作ハンドル１５６、音声を出力するスピーカ１５７などが設けられている。
【００３２】
また、前面枠本体１３０の裏面側であって遊技盤１が嵌め込まれた開口部の下方には、排出ユニットによる賞球の排出、発射装置１０による遊技球の発射を制御する排出発射制御装置や、遊技機１００内の各装置に電力を供給する電源回路としての電源供給装置などが取り付けられている。その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００３３】
遊技盤１は従来周知のものであって、図２，３に示すように、各種部材の取付ベースとなる平板状の遊技盤本体１ｂ（木製もしくは合成樹脂製）を備え、該遊技盤本体１ｂの前面に、遊技領域区画壁２で囲まれた遊技領域１ａを有している。また、遊技盤本体１ｂの前面であって遊技領域区画壁２の外側には、前面構成部材３，３，…が取り付けられている。そして、この遊技領域区画壁２で囲まれた遊技領域１ａ内に発射装置１０から遊技球（打球；遊技媒体）を発射して遊技を行うようになっている。
【００３４】
遊技領域１ａ内には、図示を省略するが、普通図柄始動ゲート、普通図柄変動表示ゲームの未処理回数を表示する普通図柄記憶表示器、普通図柄の変動表示ゲームを表示する普通図柄表示器が設けられている。また、始動入賞口をなす普通変動入賞装置と、補助遊技としての特別図柄変動表示ゲームの未処理回数を点灯表示する特別図柄記憶表示器、特別図柄変動表示ゲームを表示する特別図柄表示器が設けられている。
【００３５】
さらに遊技領域１ａには、特別図柄変動表示ゲームの結果如何によって大入賞口を閉じた状態（遊技者にとって不利な状態）から開放状態（遊技者にとって有利な状態）に変換する特別変動入賞装置、入賞口などに入賞しなかった遊技球を回収するアウト穴４が設けられている。また、遊技領域１ａには、一般入賞口、打球方向変換部材としての風車、多数の障害釘などが配設されている。
【００３６】
また、遊技領域１ａの略中央には、特図変動表示ゲームに関連する表示ゲームを表示する液晶ディスプレイを備えた画像表示装置が配されるようになっている。なお、遊技盤本体１ｂを透明の樹脂で形成し、遊技盤１の裏面に配した画像表示装置を、透明な遊技盤本体１ｂを透して視認可能とするいわゆる全面液晶の遊技盤としても良い。
【００３７】
そして、遊技を開始することにより遊技領域１ａ内に打ち込まれた遊技球が、一般入賞口、普通変動入賞装置、特別変動入賞装置等の入賞口の何れかに入賞すると、それぞれの入賞口に対応した所定数の賞球としての遊技球が排出ユニットによって上皿１５３に排出される（払い出される）ようになっている。
【００３８】
次に、前面枠本体１３０と、クリア部材保持枠１４０及び開閉パネル１６０との軸着部分の詳細について説明する。
【００３９】
図４に示すように、クリア部材保持枠１４０は、軸着される側となる裏面側から見た右側の側部における裏面に、クリア部材保持枠係合部材１７０が設けられている。このクリア部材保持枠係合部材１７０は、クリア部材保持枠１４０の側端に沿って垂直に配される側面部１７１と、該側面部１７１の上端に接続し、水平に配される上面部１７２と、該側面部１７１の下端に接続し、水平に配される下面部１７３とからコ字状に形成されている。また、クリア部材保持枠係合部材１７０は、金属製の本体部１７４と該本体部１７４の外側を覆う樹脂製のカバー部１７５とから構成されている。
【００４０】
このクリア部材保持枠係合部材１７０の上面部１７２には、上部係合手段としての上方へ垂直に延出する上部支持軸１７６が形成されており、この上部支持軸１７６が前面枠本体１３０に形成された後述する上部支持手段１９１に支持されるようになっている。この上部支持軸１７６は本体部１７４に形成されており、カバー部１７５に形成された支持軸挿通孔１７５ａを通って上方へ延出するようになっている。また、クリア部材保持枠係合部材１７０の下面部１７３には、下部係合手段としての下部支持孔１７７が形成されており、この下部支持孔１７７が後述する可動支持手段１９３の支持軸１９４に支持されるようになっている。この下部支持孔１７７は本体部１７４及びカバー部１７５を上下に貫通するように形成されている。
【００４１】
この上部支持軸１７６と下部支持孔１７７は、その延在方向に沿った中心が同軸上に位置するようになっており、この２ヶ所が前面枠本体１３０に設けられた開閉枠支持手段１９０により回動可能に軸支されることで、クリア部材保持枠１４０が回動可能に支持されることとなる。
【００４２】
また、クリア部材保持枠係合部材１７０の下面部１７３はクリア部材保持枠１４０の下端よりも上方に位置しており、クリア部材保持枠１４０の裏面における、下面部１７３とクリア部材保持枠１４０の下端との間が、後述する可動支持手段１９３の操作部１９５を収納する収納空間１４２とされている。この収納空間１４２には、クリア部材保持枠１４０を閉鎖した状態において操作部１９５の動作を規制する移動規制部材１４３が形成されている。
【００４３】
図５に示すように、開閉パネル１６０にも、クリア部材保持枠係合部材１７０と同様の構成を有する開閉パネル係合部材１８０が、軸着される側となる裏面側から見た右側の側部における裏面に設けられている。この開閉パネル係合部材１８０は、開閉パネル１６０の側端に沿って垂直に配される側面部１８１と、該側面部１８１の上端に接続し、水平に配される上面部１８２と、該側面部１８１の下端に接続し、水平に配される下面部１８３とからコ字状に形成されている。また、開閉パネル係合部材１８０は、金属製の本体部１８４と該本体部１８４の外側を覆う樹脂製のカバー部１８５とから構成されている。
【００４４】
この開閉パネル係合部材１８０の上面部１８２には、上部係合手段としての上部支持孔１８６が形成されており、この上部支持孔１８６が後述する可動支持手段１９３の支持軸１９４に支持されるようになっている。この上部支持孔１８６は本体部１８４及びカバー部１８５を上下に貫通するように形成されている。また、開閉パネル係合部材１８０の下面部１８３には、下部係合手段としての下方へ垂直に延出する下部支持軸１８７が形成されており、この下部支持軸１８７が前面枠本体１３０に形成された後述する下部支持手段１９２に支持されるようになっている。この下部支持軸１８７は本体部１８４に形成されており、カバー部１８５に形成された支持軸挿通孔１８５ａを通って下方へ延出するようになっている。この下部支持軸１８７と上部支持孔１８６は、その延在方向に沿った中心が同軸上に位置するようになっており、この２ヶ所が前面枠本体１３０に設けられた開閉枠支持手段１９０により回動可能に軸支されることで、開閉パネル１６０が回動可能に支持されることとなる。
【００４５】
図３に示すように、前面枠本体１３０の前面側から見た左側の側部には、前面枠本体１３０の上端から下部パネル１５２の上端にかけて、クリア部材保持枠１４０及び開閉パネル１６０を回動可能に軸支する開閉枠支持手段１９０が設けられている。この開閉枠支持手段１９０は、該開閉枠支持手段１９０の上端部に位置する上部支持手段１９１と、該開閉枠支持手段１９０の下端部に位置する下部支持手段１９２と、クリア部材保持枠１４０と開閉パネル１６０とが隣接する部分に設けられた可動支持手段１９３とを備える。
【００４６】
上部支持手段１９１には、上下に貫通する貫通孔１９１ａが形成されており、この貫通孔１９１ａによってクリア部材保持枠係合部材１７０の上面部１７２に形成された上方に延出する上部支持軸１７６を回動可能に支持するようになっている。また、下部支持手段１９２にも、上下に貫通する貫通孔１９２ａが形成されており、この貫通孔１９２ａによって開閉パネル係合部材１８０の下面部１８３に形成された下方に延出する下部支持軸１８７を回動可能に支持するようになっている。なお、下部支持手段１９２は、下部パネル１５２の外周面を形成するカバー部材１５９と一体に形成されている。
【００４７】
可動支持手段１９３は、上述したクリア部材保持枠係合部材１７０の下部支持孔１７７や、開閉パネル係合部材１８０の上部支持孔１８６に挿通可能な棒状の支持軸１９４と、該支持軸１９４の延在方向の中央に設けられた操作部１９５とからなる略Ｔ字型をしている。この可動支持手段１９３は、前面枠本体１３０における可動支持手段１９３を取り付ける部分に形成された保持部１９６によってクリア部材保持枠１４０と開閉パネル１６０とが隣接する部分に配されるようになっている。
【００４８】
保持部１９６は上下に所定間隔離れた上保持部１９６ａと下保持部１９６ｂとからなり、各保持部１９６には上下に貫通する貫通孔が形成されている。そして、上保持部１９６ａの貫通孔に支持軸１９４の操作部１９５より上側の部分が挿通され、下保持部１９６ｂの貫通孔に支持軸１９４の操作部より下側の部分が挿通されるようになっている。これにより、可動支持手段１９３は、操作部１９５が二つの保持部１９６ａ，１９６ｂの間に配されるとともに、支持軸１９４が上下方向に沿って配され、かつ、支持軸１９４の延在方向に沿って上下にスライド可能に取り付けられる。また、支持軸１９４と、上部支持手段１９１の貫通孔１９１ａ、下部支持手段１９２の貫通孔１９２ａは、延在方向に沿った中心が同軸上に位置するようになっている。
【００４９】
また、可動支持手段１９３の操作部１９５と上保持部１９６ａの間及び操作部１９５と下保持部１９６ｂとの間には、それぞれ付勢手段としての圧縮コイルばね１９７，１９７が支持軸１９４に挿通された状態で設けられている。ここで、操作部１９５が支持軸１９４に接続する接続部１９５ａは、支持軸１９４の外周に沿って配されるようになっており、この接続部１９５ａが配された部分は、支持軸１９４よりも径が太くなっている。よって、操作部１９５と上保持部１９６ａの間に配される付勢手段としての圧縮コイルばね１９７は、支持軸１９４に挿通された状態で、一端が操作部１９５の上端に当接し、他端が上保持部１９６ａの下面に当接するようになっている。
【００５０】
これにより、可動支持手段１９３は、操作部１９５と上保持部１９６ａとが離れる方向である下方向に付勢されることとなる。また、操作部１９５と下保持部１９６ｂの間に配される付勢手段としての圧縮コイルばね１９７は、支持軸１９４に挿通された状態で、一端が操作部１９５の下端に当接し、他端が下保持部１９６ｂの上面に当接するようになっている。これにより、可動支持手段１９３は、操作部１９５と下保持部１９６ｂとが離れる方向である上方向に付勢されることとなる。
【００５１】
そして、可動支持手段１９３は、外部から力が加わっていない状態では、圧縮コイルばね１９７，１９７による付勢力によって、操作部１９５が上保持部１９６ａと下保持部１９６ｂとの中間に位置する中立位置に位置するようになっている。この中立位置にあるとき、操作部１９５の上側に位置する支持軸１９４の上端部は、上保持部１９６ａの上面よりも上方に突出するようになっており、この部分が上部突出部１９４ａとしてクリア部材保持枠係合部材１７０の下部係合手段をなす下部支持孔１７７に挿入可能であり、クリア部材保持枠１４０を回動可能に支持する部分となる。また、操作部１９５の下側に位置する支持軸１９４の下端部は、下保持部１９６ｂの下面よりも下方に突出するようになっており、この部分が下部突出部１９４ｂとして開閉パネル係合部材１８０の上部係合手段をなす上部支持孔１８６に挿入可能であり、開閉パネル１６０を回動可能に支持する部分となる。
【００５２】
以上のような開閉枠支持手段１９０により、クリア部材保持枠１４０、開閉パネル１６０が回動可能に支持されるようになっている。図６に示すように、クリア部材保持枠１４０は、クリア部材保持枠係合部材１７０の上部係合部材をなす上部支持軸１７６が、開閉枠支持手段１９０の上部支持手段１９１に形成された貫通孔１９１ａに回動可能に支持されるようになっている。また、クリア部材保持枠係合部材１７０の下部係合部材をなす下部支持孔１７７が、開閉枠支持手段１９０の可動支持手段１９３の上部突出部１９４ａにより回動可能に支持されるようになっている。また、開閉パネル１６０は、開閉パネル係合部材１８０の下部係合部材をなす下部支持軸１８７が、開閉枠支持手段１９０の下部支持手段１９２に形成された貫通孔１９２ａに回動可能に支持されるようになっている。また、開閉パネル係合部材１８０の上部係合部材をなす上部支持孔１８６が、開閉枠支持手段１９０の可動支持手段１９３の下部突出部１９４ｂにより回動可能に支持されるようになっている。
【００５３】
このような構成を有する遊技機１００においては、開閉枠支持手段１９０の可動支持手段１９３を操作することにより、クリア部材保持枠１４０、開閉パネル１６０を前面枠本体１３０に対して着脱できるようになっている。
【００５４】
前面枠本体１３０に取り付けられたクリア部材保持枠１４０を取り外す場合は、クリア部材保持枠１４０を前面枠本体１３０に対して垂直に開いた状態で、操作部１９５を操作して可動支持手段１９３を中立位置から下方（図６に示すＡの方向）へ移動させる。これにより、開閉枠支持手段１９０の可動支持手段１９３の上部突出部１９４ａが、クリア部材保持枠係合部材１７０の下部係合部材をなす下部支持孔１７７から抜け、クリア部材保持枠１４０の下部における係合が解除される。この状態でクリア部材保持枠１４０の下部を前方へスライドさせるように移動させることで、開閉枠支持手段１９０からクリア部材保持枠１４０の下部を外すことができる。その後、クリア部材保持枠係合部材１７０の上部係合部材をなす上部支持軸１７６を、開閉枠支持手段１９０の上部支持手段１９１に形成された貫通孔１９１ａから外すように、クリア部材保持枠１４０を下方へ移動させることで、前面枠本体１３０からクリア部材保持枠１４０を取り外すことができる。なお、操作部１９５から手を離せば、付勢手段をなす圧縮コイルばね１９７の付勢力により可動支持手段１９３は中立位置へもどるようになっている。
【００５５】
また、前面枠本体１３０に取り付けられた開閉パネル１６０を取り外す場合は、開閉パネル１６０を前面枠本体１３０に対して垂直に開いた状態で、操作部１９５を操作して可動支持手段１９３を中立位置から上方（図６に示すＢの方向）へ移動させる。これにより、開閉枠支持手段１９０の可動支持手段１９３の下部突出部１９４ｂが、開閉パネル係合部材１８０の上部係合部材をなす上部支持孔１８６から抜け、開閉パネル１６０の上部における係合が解除される。この状態で開閉パネル１６０の上部を前方へスライドさせるように移動させることで、開閉枠支持手段１９０から開閉パネル１６０の上部を外すことができる。その後、開閉パネル係合部材１８０の下部係合部材をなす下部支持軸１８７を、開閉枠支持手段１９０の下部支持手段１９２に形成された貫通孔１９２ａから外すように、開閉パネル１６０を上方へ移動させることで、前面枠本体１３０から開閉パネル１６０を取り外すことができる。
【００５６】
ここで、可動支持手段１９３を中立位置から下方に移動させると、上部突出部１９４ａとクリア部材保持枠係合部材１７０の下部支持孔１７７の係合が解除されるが、下部突出部１９４ｂと開閉パネル係合部材１８０の上部支持孔１８６の係合は維持される。また、クリア部材保持枠１４０を取り外していない場合は、可動支持手段１９３を中立位置から上方に移動させると、下部突出部１９４ｂと開閉パネル係合部材１８０の上部支持孔１８６の係合が解除されるが、上部突出部１９４ａとクリア部材保持枠係合部材１７０の下部支持孔１７７の係合は維持される。すなわち、可動支持手段１９３が、上下に隣接する開閉枠（クリア部材保持枠１４０、開閉パネル１６０）の何れか一方との係合状態を解除する場合に、他方との係合状態を解除不能とする係合解除不能化手段をなす。これにより、一方の開閉枠の着脱作業を行う場合に、他方の開閉枠が脱落することを防止できる。なお、クリア部材保持枠１４０、開閉パネル１６０を取り外す場合は、上述のように、まず、クリア部材保持枠１４０を取り外し、その後開閉パネル１６０を取り外すことが好ましい。
【００５７】
また、前面枠本体１３０にクリア部材保持枠１４０、開閉パネル１６０を取り付ける場合は、上述の操作と逆の操作を行えば良い。前面枠本体１３０に開閉パネル１６０を取り付ける場合は、前面枠本体１３０に対して開閉パネル１６０を垂直にした状態で、開閉パネル係合部材１８０の下部係合部をなす下部支持軸１８７を、開閉枠支持手段１９０の下部支持手段１９２に形成された貫通孔１９２ａに挿入する。その後、操作部１９５を操作して可動支持手段１９３を中立位置から上方へ移動させた状態で、開閉パネル１６０の上部を開閉枠支持手段１９０へ向けて後方へスライドさせるように移動させる。そして、開閉パネル係合部材１８０の上部係合部をなす上部支持孔１８６と、開閉枠支持手段１９０の下部突出部１９４ｂの上下位置が一致する位置で操作部１９５から手を離せば、付勢手段をなす圧縮コイルばね１９７の付勢力により可動支持手段１９３が下方へ移動して中立位置へ戻り、下部突出部１９４ｂが上部支持孔１８６に係合する。これにより、開閉パネル１６０が前面枠本体１３０に回動可能に支持されるようになる。
【００５８】
また、前面枠本体１３０にクリア部材保持枠１４０を取り付ける場合は、前面枠本体１３０に対してクリア部材保持枠１４０を垂直にした状態で、クリア部材保持枠係合部材１７０の上部係合部材をなす上部支持軸１７６を開閉枠支持手段１９０の上部支持手段１９１に形成された貫通孔１９１ａに挿入する。その後、操作部１９５を操作して可動支持手段１９３を中立位置から下方へ移動させた状態で、クリア部材保持枠１４０の下部を開閉枠支持手段１９０へ向けて後方へスライドさせるように移動させる。そして、クリア部材保持枠係合部材１７０の下部係合部をなす下部支持孔１７７と、開閉枠支持手段１９０の上部突出部１９４ａの上下位置が一致する位置で操作部１９５から手を離せば、付勢手段をなす圧縮コイルばね１９７の付勢力により可動支持手段１９３が上方へ移動して中立位置へ戻り、上部突出部１９４ａが下部支持孔１７７に係合する。これにより、クリア部材保持枠１４０が前面枠本体１３０に回動可能に支持されるようになる。
【００５９】
なお、クリア部材保持枠１４０、開閉パネル１６０を取り付ける場合は、上述したように先に開閉パネル１６０を取り付け、その後クリア部材保持枠１４０を取り付けることが好ましい。また、クリア部材保持枠１４０、開閉パネル１６０を取り付けた状態で、クリア部材保持枠１４０を前面枠本体１３０に対して閉鎖すれば、クリア部材保持枠１４０の裏面に設けられた収納空間１４２に形成された移動規制部材１４３により、操作部１９５が中立位置で固定される。
【００６０】
図４に示すように、移動規制部材１４３は、収納空間１４２を形成するクリア部材保持枠１４０の裏面に形成された後方へ延出するリブ状をしており、左右方向に沿って延在するとともに上下に所定間隔離れて平行に二本形成されている。この二本の移動規制部材１４３の間隔は可動支持手段１９３の操作部１９５の上下幅と略等しく、移動規制部材１４３が形成された位置は、可動支持手段１９３が中立位置にあるときに、操作部１９５が二本の移動規制部材１４３の間にちょうど嵌るような位置とされている。よって、クリア部材保持枠１４０を前面枠本体１３０に対して閉鎖すれば、二本の移動規制部材１４３の間に操作部１９５が嵌り、上下方向への移動が規制されるようになる。これにより、開閉枠支持手段１９０による開閉枠の保持を確実にできるとともに、不正に可動支持手段１９３を操作するような不正行為を防止することができる。
【００６１】
以上のような開閉枠支持手段１９０により、上下に隣接する開閉枠（クリア部材保持枠１４０、開閉パネル１６０）の着脱、支持を可動支持手段１つで行うことができる。したがって、部品点数を減少させてコストの低減、構造の簡素化、各開閉枠（各ユニット）の軽量化を行うことができるとともに、各開閉枠の着脱作業の容易化を図ることができる。
【００６２】
以上のことから、額縁状の取付枠（前面枠本体１３０）に対して同軸上で開閉可能に軸着される複数の上下に並ぶ開閉枠（クリア部材保持枠１４０、開閉パネル１６０）を設けた遊技機１００において、取付枠は、複数の開閉枠を支持する開閉枠支持手段１９０を備え、該開閉枠支持手段１９０は、最上部に位置する開閉枠（クリア部材保持枠１４０）の上端部と係合して支持する上部支持手段１９１と、最下部に位置する開閉枠（開閉パネル１６０）の下端部と係合して支持する下部支持手段１９２と、上下に隣接する開閉枠の対向する上下端部の双方と係合して支持する可動支持手段１９３と、を備え、該可動支持手段１９３は、上下に隣接する開閉枠との係合状態を択一的に解除可能であることとなる。
【００６３】
また、可動支持手段１９３は、常態において上下に隣接する開閉枠（クリア部材保持枠１４０、開閉パネル１６０）との係合状態を維持する付勢手段（圧縮コイルばね１９７）を備え、当該可動支持手段１９３を付勢手段の付勢に反して動作させることで、上下に隣接する開閉枠との係合状態を択一的に解除可能であることとなる。
【００６４】
また、可動支持手段１９３は、上下に隣接する開閉枠（クリア部材保持枠１４０、開閉パネル１６０）の何れか一方との係合状態を解除する場合に、他方との係合状態を解除不能とする係合解除不能化手段（可動支持手段１９３）を備えていることとなる。
【００６５】
なお、開閉枠としてクリア部材保持枠１４０と開閉パネル１６０を備えるとしたが、これに限られるものではなく、３つ以上の開閉枠を備えるようにしても良く、開閉可能な複数の枠で、それらの開閉軸が同一線上にあるものであればどのような枠でも良い。また、開閉枠としてのクリア部材保持枠１４０と開閉パネル１６０を取り付ける取付枠を前面枠本体１３０としたが、これに限られるものではなく、例えば、遊技店の島設備に固定される機枠１１０としても良い。
【００６６】
次に、上述した実施形態の遊技機の第１変形例について図７を参照して説明する。なお、基本的には、上述の実施形態の遊技機と同様の構成を有しており、同様の構成を有する部分には同じ符号を付して説明を省略し、主に異なる部分について説明する。本変形例の遊技機は、可動支持手段１９３を所定の係合位置へ案内する案内部２０１を備えている。
【００６７】
本変形例の遊技機におけるクリア部材保持枠係合部材２００には、図７（ａ）に示すように、クリア部材保持枠係合部材２００の下面部１７３に、開閉枠支持手段１９０の可動支持手段１９３の上部突出部１９４ａを、クリア部材保持枠係合部材２００の下部支持孔１７７に案内する案内部２０１が形成されている。
【００６８】
案内部２０１は、クリア部材保持枠係合部材２００の下面部１７３の下面に形成された傾斜面２０２と、該傾斜面２０２と下部支持孔１７７を挟んで位置する壁面がなす当接部２０３とからなる。傾斜面２０２は、クリア部材保持枠係合部材１７０の下面部１７３の下面における下部支持孔１７７と側面部１７１との間に、下部支持孔１７７へ向かって下るように形成されている。この傾斜面２０２の側面部１７１側の端部は、可動支持手段１９３が中立位置にある状態における上部突出部１９４ａの上端の位置よりも上側に位置し、かつ、傾斜面２０２の下部支持孔１７７側の端部は、可動支持手段１９３が中立位置にある状態における上部突出部１９４ａの上端の位置よりも下側に位置するようになっている。また当接部２０３の下端部は、傾斜面２０２の下部支持孔１７７側に位置する端部の上下位置よりも下方へ延在するように形成されている。
【００６９】
このような構成を有する案内部２０１を設けたことにより、クリア部材保持枠１４０の下部を前面枠本体１３０側へ押し込むように取り付ける際に、可動支持手段１９３を中立位置から下方へ押し下げる操作を行わなくても取り付けが可能となる。
【００７０】
上述したように、クリア部材保持枠１４０を前面枠本体１３０に取り付ける際には、クリア部材保持枠１４０を前面枠本体１３０に対して垂直に配した状態で取り付ける。この状態で、図７（ａ）に示すように、クリア部材保持枠１４０の下部を前面枠本体１３０側へ近づけると、まず、上部突出部１９４ａの上端が側面部１７１側から傾斜面２０２の下側に入るとともに、所定位置で傾斜面２０２に当接する。
【００７１】
さらに、クリア部材保持枠１４０の下部を前面枠本体１３０側へ押し込むと、図７（ｂ）に示すように、傾斜面２０２に沿って上部突出部１９４ａが案内されて、可動支持手段１９３が付勢手段をなす圧縮コイルばね１９７の付勢力に抗して下方へ移動する。そして、図７（ｃ）に示すように、上部突出部１９４ａが下部支持孔１７７と一致する位置まで来ると、可動支持手段１９３の一側面が当接部２０３に当接してクリア部材保持枠１４０の移動が規制されるとともに、付勢手段をなす圧縮コイルばね１９７（図７では図示しない操作部１９５の下側に配された圧縮コイルばね１９７）の付勢力により可動支持手段１９３が上方へ移動して中立位置に戻り、下部支持孔１７７に係合するようになる。これにより、クリア部材保持枠１４０の取付作業の容易化を図ることができる。
【００７２】
なお、本変形例では、クリア部材保持枠係合部材２００の下面部１７３に案内部２０１を形成するとしたが、その他の部分（開閉枠支持手段１９０の上部支持手段１９１、下部支持手段１９２や、開閉パネル係合部材１８０の上面部１８２）にも同様の案内部２０１を形成するようにしても良い。
【００７３】
以上のことから、開閉枠（クリア部材保持枠１４０）は、可動支持手段１９３と係合する係合部（下部支持孔１７７）を備え、該係合部は、可動支持手段１９３を所定の係合位置へ案内する案内部２０１を備えたこととなる。
【００７４】
次に、上述した実施形態の遊技機の第２変形例について図８，９を参照して説明する。なお、基本的には、上述の実施形態の遊技機と同様の構成を有しており、同様の構成を有する部分には同じ符号を付して説明を省略し、主に異なる部分について説明する。本変形例の遊技機は、可動支持手段１９３の動作方向を規制する規制手段２１０を備えている。なお、図８，９では圧縮コイルばね１９７は図示を省略している。
【００７５】
図８（ａ）、（ｂ）に示すように、規制手段２１０は、開閉枠支持手段１９０が設けられる前面枠本体１３０における可動支持手段１９３が配された部分に設けられている。この規制手段２１０は前面枠本体１３０の前面から前方へ水平に延出する板状をしており、その下面が、中立位置にある可動支持手段１９３の操作部１９５の上端に接するようになっている。
【００７６】
このような規制手段２１０により、前面枠本体１３０にクリア部材保持枠１４０、開閉パネル１６０が取り付けられた状態からこれらを取り外す際に、当初は可動支持手段１９３を下方にのみ移動可能となるように規制される。これにより、先にクリア部材保持枠１４０の取り外し作業が行われるようにすることができる。その後、開閉パネルの１６０取り外し作業を行う際には、図９（ａ）、（ｂ）に示すように、支持軸１９４を中心に可動支持手段１９３を回動させて操作部１９５を規制手段２１０よりも前方へ引き出すことで、可動支持手段１９３を上方へ操作可能となり、開閉パネル１６０の取り外し作業が可能となる。すなわち、規制手段２１０が上下に隣接する開閉枠（クリア部材保持枠１４０、開閉パネル１６０）の着脱順序を規制する着脱順序規制手段をなす。
【００７７】
これにより、前面枠本体１３０からクリア部材保持枠１４０及び開閉パネル１６０を取り外す順序を、先にクリア部材保持枠１４０、その後に開閉パネル１６０とすることができる。よって、一方の開閉枠の着脱作業を行う場合に、誤って他方の開閉枠の着脱を行ってしまうことを防止できる。また、誤った操作順序で着脱作業が行われることを防止でき、作業者が怪我などを負うことを防止できる。
【００７８】
なお、規制手段２１０の前端に下方に延出する延出部を形成することで、より確実に可動支持手段１９３を下方向へ操作させるようにすることができる。また、不正にクリア部材保持枠１４０や開閉パネル１６０を開放しようとする不正行為に対して延出部が操作部１９５を係止することとなり、不正行為を防止できる。
【００７９】
以上のことから、開閉枠支持手段１９０は、可動支持手段１９３の動作方向を規制する規制手段２１０を備え、規制手段２１０は、可動支持手段１９３を動作して上下に隣接する開閉枠（クリア部材保持枠１４０、開閉パネル１６０）の何れか一方との係合状態を解除する場合に、他方との係合状態を解除する方向への当該可動支持手段１９３の動作を規制するようにしたこととなる。
【００８０】
また、開閉枠支持手段１９０は、上下に隣接する開閉枠（クリア部材保持枠１４０、開閉パネル１６０）の着脱順序を規制する着脱順序規制手段（規制手段２１０）を備え、着脱順序規制手段は、可動支持手段１９３が予め設定した可動順序で動作するように該可動順序を規制するようにしたこととなる。
【００８１】
次に、上述した実施形態の遊技機の第３変形例について図１０，１１を参照して説明する。なお、基本的には、上述の実施形態の遊技機と同様の構成を有しており、同様の構成を有する部分には同じ符号を付して説明を省略し、主に異なる部分について説明する。本変形例の遊技機は、可動支持手段１９３を誘導する誘導手段２２０を備えている。なお、図１０，１１では圧縮コイルばね１９７は図示を省略している。
【００８２】
図１０（ａ）、図１１（ａ）に示すように、誘導手段２２０は、開閉枠支持手段１９０が設けられる前面枠本体１３０における可動支持手段１９３が配された部分に設けられている。この誘導手段２２０は、中立位置にある可動支持手段１９３の操作部１９５の上端よりも上側に位置する第１誘導手段２２１と、中立位置にある可動支持手段１９３の操作部１９５の下端よりも下側に位置する第２誘導手段２２２とを有する。
【００８３】
第１誘導手段２２１は、前面枠本体１３０の前面から前方へ水平に延出する板状の本体部２２１ａと、該本体部２２１ａの下面に、後方へ向かって下方への延出幅が大きくなるように形成された誘導リブ２２１ｂとを備える。また、第１誘導リブ２２１ｂの前端部における下面は略水平な面とされ、操作部１９５を係止する係止面２２１ｃとされている。
【００８４】
第２誘導手段２２２は、前面枠本体１３０の前面から水平に延出する板状の本体部２２２ａと、該本体部２２２ａの上面に、前方へ向かって上方への延出幅が大きくなるように形成された誘導リブ２２２ｂとを備える。この第２誘導手段２２２の本体部２２２ａの延出幅は、第１誘導手段２２１の本体部２２１ａの延出幅よりも大きくなるように形成されている。また、第２誘導手段２２２の誘導リブ２２２ｂは、第１誘導手段２２１の誘導リブ２２１ｂの前端から操作部１９５の厚みの分だけ前方に離れた位置に後端部を有している。さらに、この後端部よりも後方となる本体部２２２ａには、切欠き状の開口２２２ｃが形成されており、後述するように第１誘導手段２２１により下方へ誘導された操作部１９５を下方へ通過可能としている。また、第２誘導手段２２２の誘導リブ２２２ｂの前端部における上面は略水平な面とされ、操作部１９５を係止する係止面２２２ｄとされている。さらにこの前端部には、誘導リブ２２２ｂに沿って移動する操作部１９５の前方への移動を規制するための上方へ延出する規制部２２２ｅが形成されている。
【００８５】
また、前面枠本体１３０の側端側となる前面側から見た左側の端部は、不正防止手段２２３として可動支持手段１９３の支持軸１９４よりも前方へ延出するように形成されている。これにより、針金などで可動支持手段１９３を操作して不正に開閉枠を開放させるような不正行為を防止できる。すなわち、各開閉枠の着脱作業を容易にすると、その部分を狙った不正行為が行われる虞があるが、このように不正防止手段２２３を設けることで、不正行為を確実に防止できる。
【００８６】
このような誘導手段２２０により、操作部１９５を前後に操作することで、可動支持手段１９３を上下に動作することができる。可動支持手段１９３が中立位置にある状態では、操作部１９５が第１誘導手段２２１の誘導リブ２２１ｂの前端と第２誘導手段２２２の誘導リブ２２２ｂの後端との間に位置するようになっている。この中立位置から、操作部１９５を前方へ移動させると、図１０（ａ）、図１１（ａ）に示すように、操作部１９５の上端が第１誘導手段２２１の誘導リブ２２１ｂに誘導されて、可動支持手段１９３が下方へ移動する。そして、操作部１９５を誘導リブ２２１ｂの前端まで移動させると、クリア部材保持枠係合部材１７０の下部係合部をなす下部支持孔１７７との係合が解除されるとともに、操作部１９５の上面が略水平な面とされた係止面２２１ｃに当接した状態となる。
【００８７】
この位置において可動支持手段１９３は、第２誘導手段に形成された開口２２２ｃに挿入された状態となっている。また、可動支持手段１９３は、付勢手段をなす圧縮コイルばね１９７により上方へ向けて付勢されているので、操作部１９５が係止面２２１ｃに係止されて上方への移動を規制され、クリア部材保持枠係合部材１７０の下部支持孔１７７との係合が解除された状態が維持される。また、この位置においては、開閉パネル係合部材１８０の上部係合部をなす上部支持孔１８６との係合は維持された状態となっている。すなわち、第１誘導手段２２１は、可動支持手段１９３を上側に位置する開閉枠であるクリア部材保持枠１４０との係合状態を解除する位置まで誘導しつつ、下側に位置する開閉枠である開閉パネル１６０との係合状態の解除を規制するようになっている。
【００８８】
また、中立位置から、操作部１９５を後方へ移動させると、図１０（ｂ）、図１１（ｂ）に示すように、操作部１９５の下端が第２誘導手段２２２の誘導リブ２２２ｂに誘導されて可動支持手段１９３が上方へ移動する。そして、操作部１９５を誘導リブ２２２ｂの前端まで移動させると、開閉パネル係合部材１８０の上部係合部をなす上部支持孔１８６との係合が解除されるとともに、操作部１９５の下面が略水平な面とされた係止面２２２ｄに当接した状態となる。また、規制部２２２ｅにより前方への移動が規制された状態となる。この位置において可動支持手段１９３は、付勢手段をなす圧縮コイルばね１９７により下方へ向けて付勢されているので、操作部１９５が係止面２２２ｄに係止されて下方への移動を規制され、開閉パネル係合部材１８０の上部支持孔１８６との係合が解除された状態が維持される。また、この位置においては、クリア部材保持枠係合部材１７０の下部係合部をなす下部支持孔１７７との係合は維持された状態となっている。すなわち、第２誘導手段２２２は、可動支持手段１９３を下側に位置する開閉枠である開閉パネル１６０との係合状態を解除する位置まで誘導しつつ、上側に位置する開閉枠であるクリア部材保持枠１４０との係合状態の解除を規制するようになっている。
【００８９】
このような誘導手段２２０を備えることで、一方の開閉枠の着脱作業を行う場合に、誤って他方の開閉枠の着脱を行ってしまうことを防止できるとともに、可動支持手段１９３が一方の開閉枠の着脱位置に自動的に誘導されて、各開閉枠の着脱作業の容易化を図ることができる。
【００９０】
以上のことから、開閉枠支持手段１９０は、可動支持手段１９３を所定位置まで誘導する誘導手段２２０を備え、誘導手段２２０は、上下に隣接する開閉枠（クリア部材保持枠１４０、開閉パネル１６０）のうち、上側に位置する開閉枠（クリア部材保持枠１４０）との係合状態を解除する位置若しくは下側に位置する開閉枠（開閉パネル１６０）との係合状態を解除する位置に可動支持手段１９３を誘導するようにしたこととなる。
【００９１】
また、誘導手段２２０は、上下に隣接する開閉枠（クリア部材保持枠１４０、開閉パネル１６０）のうち、上側に位置する開閉枠（クリア部材保持枠１４０）との係合状態を解除する位置へ可動支持手段１９３を誘導する第１誘導手段２２１と、上下に隣接する開閉枠のうち、下側に位置する開閉枠（開閉パネル１６０）との係合状態を解除する位置へ可動支持手段１９３を誘導する第２誘導手段２２２と、を備え、第１誘導手段２２１は、可動支持手段１９３を上側に位置する開閉枠との係合状態を解除する位置まで誘導しつつ下側に位置する開閉枠との係合状態の解除を規制する一方、第２誘導手段２２２は、可動支持手段１９３を下側に位置する開閉枠との係合状態を解除する位置まで誘導しつつ上側に位置する開閉枠との係合状態の解除を規制するようにしたこととなる。
【００９２】
以上のような遊技機１００は、額縁状の取付枠（前面枠本体１３０）に対して同軸上で開閉可能に軸着される複数の上下に並ぶ開閉枠（クリア部材保持枠１４０、開閉パネル１６０）を設けた遊技機１００であって、取付枠は、複数の開閉枠を支持する開閉枠支持手段１９０を備え、該開閉枠支持手段１９０は、最上部に位置する開閉枠（クリア部材保持枠１４０）の上端部と係合して支持する上部支持手段１９１と、最下部に位置する開閉枠（開閉パネル１６０）の下端部と係合して支持する下部支持手段１９２と、上下に隣接する開閉枠の対向する上下端部の双方と係合して支持する可動支持手段１９３と、を備え、該可動支持手段１９３は、上下に隣接する開閉枠との係合状態を択一的に解除可能である。
【００９３】
したがって、開閉枠支持手段１９０は、最上部に位置する開閉枠の上端部と係合して支持する上部支持手段１９１と、最下部に位置する開閉枠の下端部と係合して支持する下部支持手段１９２と、上下に隣接する開閉枠の対向する上下端部の双方と係合して支持する可動支持手段１９３と、を備え、該可動支持手段１９３は、上下に隣接する開閉枠との係合状態を択一的に解除可能であるので、上下に隣接する開閉枠の着脱、支持を可動支持手段１つで行うことができる。したがって、部品点数を減少させてコストの低減、構造の簡素化、各開閉枠（各ユニット）の軽量化を行うことができるとともに、各開閉枠の着脱作業の容易化を図ることができる。
【００９４】
また、可動支持手段１９３は、常態において上下に隣接する開閉枠（クリア部材保持枠１４０、開閉パネル１６０）との係合状態を維持する付勢手段（圧縮コイルばね１９７）を備え、当該可動支持手段１９３を付勢手段の付勢に反して動作させることで、上下に隣接する開閉枠との係合状態を択一的に解除可能である。
【００９５】
したがって、可動支持手段１９３は、常態において上下に隣接する開閉枠との係合状態を維持する付勢手段を備え、当該可動支持手段１９３を付勢手段の付勢に反して動作させることで、上下に隣接する開閉枠との係合状態を択一的に解除可能であるので、各開閉枠の着脱作業の容易化を図ることができる。
【００９６】
また、可動支持手段１９３は、上下に隣接する開閉枠（クリア部材保持枠１４０、開閉パネル１６０）の何れか一方との係合状態を解除する場合に、他方との係合状態を解除不能とする係合解除不能化手段（可動支持手段１９３）を備えている。
【００９７】
したがって、可動支持手段１９３は、上下に隣接する開閉枠の何れか一方との係合状態を解除する場合に、他方との係合状態を解除不能とする係合解除不能化手段を備えたので、一方の開閉枠の着脱作業を行う場合に、他方の開閉枠が脱落することを防止できる。
【００９８】
また、開閉枠支持手段１９０は、可動支持手段１９３の動作方向を規制する規制手段２１０を備え、規制手段２１０は、可動支持手段１９３を動作して上下に隣接する開閉枠（クリア部材保持枠１４０、開閉パネル１６０）の何れか一方との係合状態を解除する場合に、他方との係合状態を解除する方向への当該可動支持手段１９３の動作を規制するようにしている。
【００９９】
したがって、開閉枠支持手段１９０は、可動支持手段１９３の動作方向を規制する規制手段２１０を備え、規制手段２１０は、可動支持手段１９３を動作して上下に隣接する開閉枠の何れか一方との係合状態を解除する場合に、他方との係合状態を解除する方向への当該可動支持手段１９３の動作を規制するので、一方の開閉枠の着脱作業を行う場合に、誤って他方の開閉枠の着脱を行ってしまうことを防止できる。
【０１００】
また、開閉枠支持手段１９０は、上下に隣接する開閉枠（クリア部材保持枠１４０、開閉パネル１６０）の着脱順序を規制する着脱順序規制手段（規制手段２１０）を備え、着脱順序規制手段は、可動支持手段１９３が予め設定した可動順序で動作するように該可動順序を規制するようにしている。
【０１０１】
したがって、開閉枠支持手段１９０は、上下に隣接する開閉枠の着脱順序を規制する着脱順序規制手段を備え、着脱順序規制手段は、可動支持手段１９３が予め設定した可動順序で動作するように該可動順序を規制するので、誤った操作順序で着脱作業が行われることを防止でき、作業者が怪我などを負うことを防止できる。
【０１０２】
また、開閉枠支持手段１９０は、可動支持手段１９３を所定位置まで誘導する誘導手段２２０を備え、誘導手段２２０は、上下に隣接する開閉枠（クリア部材保持枠１４０、開閉パネル１６０）のうち、上側に位置する開閉枠（クリア部材保持枠１４０）との係合状態を解除する位置若しくは下側に位置する開閉枠（開閉パネル１６０）との係合状態を解除する位置に可動支持手段１９３を誘導するようにしている。
【０１０３】
したがって、開閉枠支持手段１９０は、可動支持手段１９３を所定位置まで誘導する誘導手段２２０を備え、誘導手段２２０は、上下に隣接する開閉枠のうち、上側に位置する開閉枠との係合状態を解除する位置若しくは下側に位置する開閉枠との係合状態を解除する位置に可動支持手段１９３を誘導するので、可動支持手段１９３が一方の開閉枠の着脱位置に自動的に誘導され、各開閉枠の着脱作業の容易化を図ることができる。
【０１０４】
また、誘導手段２２０は、上下に隣接する開閉枠（クリア部材保持枠１４０、開閉パネル１６０）のうち、上側に位置する開閉枠（クリア部材保持枠１４０）との係合状態を解除する位置へ可動支持手段１９３を誘導する第１誘導手段２２１と、上下に隣接する開閉枠のうち、下側に位置する開閉枠（開閉パネル１６０）との係合状態を解除する位置へ可動支持手段１９３を誘導する第２誘導手段２２２と、を備え、第１誘導手段２２１は、可動支持手段１９３を上側に位置する開閉枠との係合状態を解除する位置まで誘導しつつ下側に位置する開閉枠との係合状態の解除を規制する一方、第２誘導手段２２２は、可動支持手段１９３を下側に位置する開閉枠との係合状態を解除する位置まで誘導しつつ上側に位置する開閉枠との係合状態の解除を規制するようにしている。
【０１０５】
したがって、誘導手段２２０は、第１誘導手段２２１と第２誘導手段２２２とを備え、第１誘導手段２２１は、可動支持手段１９３を上側に位置する開閉枠との係合状態を解除する位置まで誘導しつつ下側に位置する開閉枠との係合状態の解除を規制する一方、第２誘導手段２２２は、可動支持手段１９３を下側に位置する開閉枠との係合状態を解除する位置まで誘導しつつ上側に位置する開閉枠との係合状態の解除を規制するので、一方の開閉枠の着脱作業を行う場合に、誤って他方の開閉枠の着脱を行ってしまうことを防止できるとともに、可動支持手段１９３が一方の開閉枠の着脱位置に自動的に誘導されて、各開閉枠の着脱作業の容易化を図ることができる。
【０１０６】
また、開閉枠（クリア部材保持枠１４０）は、可動支持手段１９３と係合する係合部（下部支持孔１７７）を備え、該係合部は、可動支持手段１９３を所定の係合位置へ案内する案内部２０１を備えている。
【０１０７】
したがって、開閉枠は、可動支持手段１９３と係合する係合部を備え、該係合部は、可動支持手段１９３を所定の係合位置へ案内する案内部２０１を備えるので、各開閉枠の取付作業の容易化を図ることができる。
【０１０８】
なお、本発明の遊技機は、遊技機として、前記実施の形態に示されるようなパチンコ遊技機に限られるものではなく、例えば、その他のパチンコ遊技機、スロットマシン、アレンジボール遊技機、雀球遊技機などの遊技球又はメダル等の遊技媒体を使用する全ての遊技機に適用可能である。
【０１０９】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１１０】
【図１】本発明を適用した一実施の形態の構成を示す遊技機の前面側から見た斜視図である。
【図２】遊技機の前面側から見た斜視図であって、クリア部材保持枠、開閉パネルを開放した状態を示す図である。
【図３】遊技機の前面側から見た斜視図であって、クリア部材保持枠、開閉パネルを取り外した状態を示す図である。
【図４】クリア部材保持枠の裏面におけるクリア部材保持枠係合部材が設けられた部分を示す部分拡大図である。
【図５】開閉パネルの裏面における開閉パネル係合部材が設けられた部分を示す部分拡大図である。
【図６】前面枠本体に対するクリア部材保持枠及び開閉パネルの取付部分を裏面側から見た断面図である。
【図７】第１変形例の遊技機におけるクリア部材保持枠を取り付ける過程を説明する図である。
【図８】第２変形例の遊技機における、前面枠本体の可動支持手段が配された部分を示す図であって、（ａ）可動支持手段が中立位置にある状態の前面側から見た斜視図、（ｂ）可動支持手段が中立位置にある状態の正面図である。
【図９】第２変形例の遊技機における、前面枠本体の可動支持手段が配された部分を示す図であって、（ａ）可動支持手段を上方に操作した状態の前面側から見た斜視図、（ｂ）可動支持手段を上方に操作した状態の正面図である。
【図１０】第３変形例の遊技機における、前面枠本体の可動支持手段が配された部分を示す図であって、（ａ）可動支持手段を中立位置から前方へ移動した状態の前面側から見た斜視図、（ｂ）可動支持手段を中立位置から後方へ移動した状態の前面側から見た斜視図である。
【図１１】第３変形例の遊技機における、前面枠本体の可動支持手段が配された部分を示す図であって、（ａ）可動支持手段を中立位置から前方へ移動した状態の側方から見た断面図、（ｂ）可動支持手段を中立位置から後方へ移動した状態の側方から見た断面図である。
【符号の説明】
【０１１１】
１００  遊技機
１３０  前面枠本体（取付枠）
１４０  クリア部材保持枠（開閉枠）
１６０  開閉パネル（開閉枠）
１９０  開閉枠支持手段
１９１  上部支持手段
１９２  下部支持手段
１９３  可動支持手段（係合解除不能手段）
１９７  圧縮コイルばね（付勢手段）
２０１  案内部
２１０  規制手段（着脱順序規制手段）
２２０  誘導手段
２２１  第１誘導手段
２２２  第２誘導手段
【図１】
0004943273.tif 000002
【図２】
0004943273.tif 000003
【図３】
0004943273.tif 000004
【図４】
0004943273.tif 000005
【図５】
0004943273.tif 000006
【図６】
0004943273.tif 000007
【図７】
0004943273.tif 000008
【図８】
0004943273.tif 000009
【図９】
0004943273.tif 000010
【図１０】
0004943273.tif 000011
【図１１】
0004943273.tif 000012